(57)【要約】【課題】コンテンツのフォルダ編集を容易に行うことができる記録再生装置を提供する。【解決手段】記録再生装置１０９と表示装置２００と制御装置１０１と遠隔操作装置３００とを備えた録画予約再生装置１において、番組データを備えた前記コンテンツの録画情報を前記記録再生装置１０９から呼び出して前記表示装置２００に一覧表示し、当該コンテンツに関する検索条件を受け付けて、検索条件に合致するコンテンツの録画情報を前記記録再生装置１０９から抽出して前記表示装置２００に一覧表示し、該一覧表示されたコンテンツのフォルダの作成を受け付けて、該フォルダを生成し、前記生成したフォルダに含まれるコンテンツに関する予約情報を検索して、予約情報がなければ、当該コンテンツの録画予約を設定する。【選択図】図１
2006203483.tif 000002
【特許請求の範囲】
【請求項１】
番組データを備えたコンテンツを格納する記録再生装置と、
コンテンツの検索と再生情報を表示する表示装置と、
前記表示装置の検索と再生情報の表示を制御する制御装置と、
前記制御装置に前記表示装置の表示操作を指示する遠隔操作装置とを備えた録画予約再生装置において、
前記制御装置は、
番組データを備えた前記コンテンツの録画情報を前記記録再生装置から呼び出して前記表示装置に一覧表示し、
当該一覧表示から１つのコンテンツの選択を受け付けて、当該コンテンツに関する検索条件を受け付ける検索条件入力エリアを前記表示装置に表示し、
検索条件入力エリアで設定された検索条件を受け付けて、当該検索条件に合致するコンテンツの録画情報を前記記録再生装置から抽出して前記表示装置に一覧表示し、
該一覧表示されたコンテンツのフォルダの作成を受け付けて、該フォルダを生成し、
前記生成したフォルダに含まれるコンテンツに関する予約情報を検索して、予約情報がなければ、当該コンテンツの録画予約を設定する
ことを特徴とする録画予約再生装置。
【請求項２】
番組データを備えたコンテンツを格納する記録再生装置と、
コンテンツの検索と再生情報を表示する表示装置と、
前記表示装置の検索と再生情報の表示を制御する制御装置と、
前記制御装置に前記表示装置の表示操作を指示する遠隔操作装置とを備えた録画予約再生装置において、
前記制御装置は、
前記遠隔操作装置により入力された録画予約設定を受け付けて、
前記録画予約設定が連続した設定であるか否かを判定し、
連続した設定である場合には、当該録画予約に関するフォルダを自動作成し、前記録画予約設定に基づいて録画したコンテンツを前記フォルダに格納する
ことを特徴とする録画予約再生装置。
【請求項３】
前記制御装置は、
前記録画予約設定が連続した設定である場合に、フォルダの自動作成が設定されているか否かを判定し、
設定されている場合には当該録画予約に関するフォルダを自動作成する
ことを特徴とする請求項２に記載の録画予約再生装置。
【請求項４】
前記制御装置は、
前記録画予約設定が連続した設定である場合に、予約設定されたコンテンツのタイトル情報が同一であるか否かを判定し、
同一である場合に前記コンテンツを自動作成された同一のフォルダに格納する
ことを特徴とする請求項２または３に記載の録画予約再生装置。
【発明の詳細な説明】
【技術分野】
【０００１】
本発明は、テレビジョン受像機の番組や記録再生装置に格納された各種のコンテンツを簡単に抽出することができる情報検索再生装置及びその表示方法に関するものである。
【背景技術】
【０００２】
近年、放送衛星や通信衛星あるいはケーブルＴＶなどの普及にともない、デジタル化した映像情報と番組情報などを受信できるデジタル放送サービスが普及してきている。このサービスにおいては、多数のチャンネルから希望するチャンネルを簡単に選択することができるシステムが望まれている。これに対応するため、このシステムでは、ＥＰＧと呼ばれる電子番組ガイドを採用し、伝送されてくるチャンネル番号、番組の放送時間、番組名、番組内容、出演者などから、家庭のテレビで電子化されたテレビ番組表を再生し、このテレビ番組表から任意の番組を検索して、これをテレビで視聴することができる。
【０００３】
一方、近年の映像記録技術の発展により、多数の映像情報をＨＤＤやＤＶＤに記録することができる。これらの記録機器は大容量であるがゆえに、記録された番組などのコンテンツの中から任意のコンテンツを抽出することが困難である。そこで、従来技術においては、フォルダを自動生成して、このフォルダに連続物のコンテンツを仕分けして記録するものがある。
【０００４】
例えば、特開２００４−３４８８０７においては、使用者が複雑な操作を強いられることなく、多数のコンテンツの中から所望するコンテンツを素早く探し出せる記録再生装置が開示されている。この従来例には、録画予約するコンテンツを録画予約情報からコンテンツを指定するかまたは利用者によってコンテンツを指定し、前記指定されたコンテンツをもとに、異なる録画日時の同一のコンテンツがない場合には録画フォルダを自動生成し、同一のコンテンツがある場合には前記録画フォルダ下にサブフォルダを自動生成する。録画予約開始時刻になると、映像を録画するとともに、この映像を解析して映像の切り替わるシーンを抽出してインデックスとしてのサムネイルを生成し、前記生成されたサムネイルをシーンごとに前記録画フォルダまたは前記サブフォルダと関連付けて記録する。録画映像の再生時には、前記録画フォルダ、前記サブフォルダおよび前記サムネイルを階層表示させた中からサムネイルを選択して再生する。
【０００５】
【特許文献１】特開２００４−３４８８０７号
【発明の開示】
【発明が解決しようとする課題】
【０００６】
前記従来例によれば、連続番組を予約する際に、異なる録画日時の同一のコンテンツがない場合には録画フォルダを自動生成し、同一のコンテンツがある場合には前記録画フォルダ下にサブフォルダを自動生成することができるので、大容量記憶媒体に複数の異なるコンテンツが混在しても、所望する録画済みのコンテンツを素早く探し出すことができる。
また、録画する際に、装置が自動的にフォルダを生成するので、使用者が複雑な操作を強いられることがない。
【０００７】
しかしながら、前記従来例によれば、初めて番組を予約する際にフォルダを自動生成する記録再生装置が開示されているものの、それ以外のフォルダの自動作成や番組予約については開示されていない。また、同じコンテンツがない場合にもフォルダが作成されることになるので、そのような番組を選択する場合には、階層が深くなり操作性が損なわれる。
さらに、例えば、連続もののコンテンツを予約する場合、最初から連続予約するのではなく、コンテンツを視聴してから連続予約するか否か決めたいものである。このような場合、前記従来例によれば、再度、該当するコンテンツの予約情報を入力しなければならない。
【０００８】
そこで、この発明の目的とするところは、すでに記録されたコンテンツに基づいて、当該コンテンツのフォルダ編集に連続して、簡単に連続予約が設定できる記録再生装置を提供することにある。
また、本発明の他の目的は、連続もの番組など同じコンテンツのみをフォルダにまとめて整理することが、手間なくできるようにすることにある。
【課題を解決するための手段】
【０００９】
前記課題を解決するために、本発明の記録再生装置では、番組データを備えた前記コンテンツの録画情報を前記記録再生装置から呼び出して前記表示装置に一覧表示し、当該一覧表示から１つのコンテンツの選択を受け付けて、当該コンテンツに関する検索条件を受け付ける検索条件入力エリアを前記表示装置に表示し、検索条件入力エリアで設定された検索条件を受け付けて、当該検索条件に合致するコンテンツの録画情報を前記記録再生装置から抽出して前記表示装置に一覧表示し、該一覧表示されたコンテンツのフォルダの作成を受け付けて、該フォルダを生成し、前記生成したフォルダに含まれるコンテンツに関する予約情報を検索して、予約情報がなければ、当該コンテンツの録画予約を設定する。
また、録画予約設定が連続した設定であるか否かを判定し、連続した設定である場合には、当該録画予約に関するフォルダを自動作成し、録画予約設定に基づいて録画したコンテンツを前記フォルダに格納するようにする。
【発明の効果】
【００１０】
本発明によれば、コンテンツのフォルダ編集を容易に行うことができる。
【発明を実施するための最良の形態】
【００１１】
以下、図１から図２３を参照して、本発明に係る記録再生装置とその表示方法の実施の形態を詳細に説明する。この実施の形態では、大容量の記憶装置を備えたテレビジョン受像機に適用したものを開示している。
先ず、図１を参照して、このテレビジョン受像機の概略構造を説明する。図１は、この実施の形態に係るテレビジョン受像機の概略構成図である。
【００１２】
図１において、符号１で示すテレビジョン受像機は、本体１００と、モニタ２００と、リモコン３００とを含んで構成される。前記本体１００は、テレビチューナや大容量の記憶装置を内蔵して、このテレビジョン受像機１の中核をなすものである。前記モニタ２００は、前記本体１００とコードを介して接続され、前記本体１００で生成される画像を表示装置２０１に表示する。この実施の形態では、このモニタ２００に設けられる表示装置２０１の両側にスピーカ２０２を備えたものを採用している。しかし、これに限定されるものではなく、スピーカ別体のものや、テレビチューナを内蔵したテレビジョン受像機でもよい。前記リモコン３００は、例えば、赤外線信号を介して前記本体１００の図示しない赤外線受光部に操作信号を送信して、このテレビジョン受像機１の操作を統括的に操作することができる。
【００１３】
前記本体１００には、コードを介してアンテナ５０を接続することで、一般的な地上波放送を受信することができるし、衛星放送アンテナを接続すれば衛星放送を受信できる。更に、ケーブルテレビなどとも接続することができる。また、この実施の形態ではデジタル放送に対応した機構を備えている。したがって、前記放送を通じてテレビ画像信号の他に番組情報（ＥＰＧ）などの各種情報を受信して、これを内蔵した記憶装置に格納し、これらの情報から各種検索を行うことができる。
そして、このテレビジョン受像機１の大きな特徴は、本体１００に内蔵される記憶装置に多数の番組データを備えたコンテンツを記憶し、前記番組データを介して、この記憶された、または、記憶されるコンテンツに関するフォルダを自動生成できる点にある。
【００１４】
即ち、この実施の形態に係る本体１００は、通常の録画予約設定時のステップにおいて、複数回の録画設定操作を受け付けると、前記記憶装置に記録された録画データに、同じ曜日、同時間、同チャンネルに設定された予約データを検索し、これらの予約データが記憶装置に設定されていなければ、当該コンテンツを保存するためのフォルダを記憶装置の所定領域に自動生成し、以後の録画するコンテンツを当該フォルダに保存するように動作する。
【００１５】
また、他の実施の形態では、本体１００は、通常の録画予約設定時のステップにおいて、タイトルや役者などの検索条件とともに、複数回の録画設定操作を受け付けると、予め記憶装置に格納された番組データのなかから該当する検索項目に該当するコンテンツを検索し、これらの録画予約データが記憶装置に設定されていなければ、当該コンテンツを保存するためのフォルダを記憶装置の所定領域に自動生成し、以後の録画するコンテンツを当該フォルダに保存するように動作する。
【００１６】
このように、この実施の形態によれば、利用者は録画予約設定時にフォルダをいちいち作成する手間を省くことができる。更には、連続番組が１つのフォルダに格納されるので、再生時の検索が容易となる。
【００１７】
一方、この実施の形態では、前記リモコンに、前記自動生成されたフォルダ毎にコンテンツを表示するフォルダ一覧表示ボタンと、フォルダに区別無くコンテンツを一覧表示する全一覧表示ボタンを備えている。この実施の形態では、フォルダの自動生成を連続予約に対応して生成するので、前記フォルダ一覧表示ボタンを連続番組ボタン３０１とし、前記全一覧表示ボタンを録画番組ボタン３０２としてリモコン３００に設けている。
【００１８】
この実施の形態では、本体１００は、前記連続番組ボタン３０１または録画番組ボタン３０２の操作が成されると、モニタ１００に録画番組検索画面４００を表示する。この録画番組検索画面４００は、フォルダ表示エリア４０１と、録画された各コンテンツのサムネールが表示されるコンテンツ表示エリア４０２を備えている。
【００１９】
図１に示す状態では、自動生成されたフォルダが４個存在するので、例えば、前記フォルダ表示エリア４０１には、「連続番組１」から「連続番組４」の各フォルダが表示される。ここで、この実施の形態では、前記フォルダ表示エリア４０１に「全番組」のフォルダも表示される。「全番組」のフォルダの選択により、前記録画番組ボタン３０２と同様な動作を行わせることができる。
【００２０】
一方、前記コンテンツ表示エリア４０２には、前記フォルダ表示エリア４０１で選択されたフォルダに該当するコンテンツがサムネール形式で一覧表示される。
この実施の形態では、初期設定として、前記連続番組ボタン３０１が操作されると、最初に自動生成されたフォルダ表示エリア４０１のフォルダが強調表示され、当該フォルダに該当するコンテンツが前記コンテンツ表示エリア４０２に一覧表示される。
【００２１】
一方、録画番組ボタン３０２が操作されると、前記全番組フォルダが強調表示（太枠表示など）され、記憶装置に格納されている全コンテンツが一覧表示される。
そして、この実施の形態の他の特徴の１つは、前記録画番組検索画面４００から所定の条件でのコンテンツの検索を受け付け、当該検索されたコンテンツを格納するフォルダを自動生成するとともに、当該フォルダの自動生成のステップに引き続いて、これらの録画予約を自動設定するステップに移行できる点にある。この特徴によれば、利用者は、録画したコンテンツを視聴して、このコンテンツを引き続いて録画したい場合、簡単な操作でこれらの番組予約を設定できるとともに、これらのコンテンツを格納するフォルダの作成が可能と成る。
【００２２】
例えば、この実施の形態では、録画番組ボタン３０２の操作で、モニタ１００に、番組データを備えた全コンテンツを一覧表示し、当該一覧表示から１つのコンテンツを選択すると、モニタ１００に、多様な編集機能を選択するための編集ウインドウ４２０を重ね表示させることができる。そして、この編集ウインドウ４２０から「フォルダ仕分け」を選択することにより、当該コンテンツに関する検索条件を入力する更なる検索条件ウインドウ４３０を表示させ、当該検索条件に合致するコンテンツを抽出してフォルダを自動生成するとともに、当該検索条件に該当する番組予約を簡単な操作で行うことができる。
【００２３】
以下、図１から図２３を参照して、この実施の形態を更に詳細に説明する。
先ず、図１において、この実施の形態では、前記リモコン３００に、少なくとも、電源ボタン３０３と、各種の操作メニューを表示するメニュー画面４４０を表示させるためのメニューボタン３０４と、画面上に表示されるカーソルを上下左右に移動させるためのカーソルキー群３０５と、カーソルが位置する機能ボタンを実行させるための決定キー３０６と、各種の機能メニューを設定するための機能メニューウインドウを表示させる機能メニューボタン３０７と、前記連続番組ボタン３０１と、前記録画番組ボタン３０２と、記憶装置に格納された番組表を表示させるための番組表ボタン３０８と、極一般的な予約ボタン３０９と、1つ前の操作に戻るための戻るボタン３１０を備えている。
【００２４】
また、前記本体１００は、少なくとも、筐体面に前記リモコン３００の赤外線信号を受信するためのリモコン受光部と、ＤＶＤなどの記録媒体を出し入れするＤＶＤ出入テーブルを備えている。なお、本体１００の筐体面には、状態表示部や各種の操作スイッチ類などが配置されているが、ここでは省略している。
【００２５】
次に、図２を参照して、本体１００の内部装置を説明する。図２は本体１００の装置ブロック図である。
この実施の形態では、マイコン１０１が、前記リモコン３００の赤外線による操作指示信号をリモコン受光部１０８で受信し、この操作指示に基づいて、このテレビジョン受像機１を統括的に制御する。
【００２６】
チューナ１０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
【００２７】
前記チューナ１０２で受信された放送波は、番組情報抽出部１０３でＥＰＧ情報とコンテンツ情報に分離され、音声再生部１０４と映像再生部１０５に出力される。音声再生部１０４は前記スピーカ２０２に出力される。映像情報は、映像再生部１０５からの映像信号と画面生成部１０７からのグラフィックデータが表示合成部１０６で合成され、前記モニタ２００に出力される。
【００２８】
この実施の形態では、大容量の記憶装置としてＨＤＤ（ハードデイスク装置）１０９と、ＤＶＤ（デジタルビデオデイスク装置）１１０を備えている。そして、この実施の形態では、ＤＶＤ１１０やＨＤＤ１０９に格納されたコンテンツの再生はもちろんのこと、放送波で受信したコンテンツをＤＶＤ１１０やＨＤＤ１０９に格納することができ、また、ＤＶＤ１１０とＨＤＤ１０９の間で相互にダビングを行うことができる。
【００２９】
この実施の形態では、コンテンツのＤＶＤ１１０やＨＤＤ１０９への格納に際し、検索情報を同時に格納することができる。そして、この実施形態では、前記検索情報やＥＰＧ情報から各種の検索を行って、その検索結果に基づいて、検索した放送波やＤＶＤ１１０あるいはＨＤＤ１０９に格納したコンテンツを表示したり、あるいは、放送波のコンテンツを録画（予約録画を含む）したり、ダビングなどを行うことができる。また、この実施の形態では、外部インターフエイス部１１１にＵＳＢ端子を備えている。これにより、他の増設記憶装置を接続したりパソコンとの接続が可能である。
【００３０】
次に、この実施の形態の特徴である連続録画に関する録画予約設定について図３から図２３を参照して詳細に説明する。この実施の形態では、録画予約と当該録画予約されたコンテンツを格納するフォルダの作成を多様な場面から設定することができる。
先ず、図３から図９を参照して、番組表からの録画予約の操作を説明する。図３は番組表からの録画予約の動作フロー図である。図４から図９は番組表からの録画予約の画面遷移を示す表示画面図である。
【００３１】
先ず、この実施の形態では、マイコン１０１が前記リモコン３００からの操作信号を受けて対応する動作を実行する。図３において、マイコン１０１は、リモコン３００に設けたメニューボタン３０４の操作信号を受け付けると、ＨＤＤ１０９に格納した図４に示すメニュー画面４４０をモニタ２００に表示する。このメニュー画面４４０は、ＨＤＤ、ＤＶＤ、ＴＶ、番組表などの各種メニューボタンが碁盤状に割り振られており、これらのメニューボタンの１つがリモコン３００に設けたカーソルキー群３０５と決定キー３０６の操作によって選択されると、マイコン１０１は、選択されたメニューボタンに対応する機能を実行させる。例えば、図４において、番組表ボタン４４１が選択されると、マイコン１０１は図５の番組表画面４５０をＨＤＤ１０９から呼び出して表示する(ステップ５０１)。
【００３２】
図５において、この実施の形態では、番組表画面４５０は縦軸に時間、横軸にチャンネルが設定され、これら縦軸と横軸に対応する位置に各種のコンテンツが割り振られて表示される。これらのコンテンツは前記カーソルキー群３０５と決定キー３０６の操作により選択することができる。例えば、図５は「ＡＡストーリー」が選択された状態を示している。マイコン１０１は、番組表画面４５０において決定キー３０６の操作が成されたかを監視し(ステップ５０３)、決定キー３０６が操作されると、当該決定キー３０６が操作されたコンテンツに関する番組データを呼び出して図６に示す録画予約画面４６０を表示する(ステップ５０５)。
【００３３】
図６において、この実施の形態では、番組データとして、「タイトル」「チャンネル」「曜日」「録画時間」が録画予約画面４６０に表示される。利用者は、この番組データを確認することで前記番組表から希望するコンテンツが選択されたかを確認することができる。利用者は、表示された番組データで予約を行いたければ予約ボタン４６１を選択し、元の番組表に戻りたければ中止ボタン４６２を選択する。図６は予約ボタン４６１が選択されて強調表示された状態を示している。マイコン１０１は、前記予約ボタン４６１が選択されると、図７に示す予約データの修正画面４７０を表示させる。
【００３４】
図７において、予約データの修正画面４７０は、図６の録画予約画面４６０の「曜日」データの修正を可能にする画面である。「曜日」は強調表示されて、修正可能な状態であることが一目で分かるようになっている。この「曜日」はカーソルキー群３０５の上下キーで変更することができる。この実施の形態では、上下キーの操作で「設定日」「毎日」「毎週」「月から金」「月から土」「その他」に順次変更することができる。図８は「毎週」が選択された状態を示している。
【００３５】
図８において、この実施の形態では、「毎日」「毎週」「月から金」「月から土」などの連続して録画が設定されると「フォルダ自動作成」４８１が初期設定で表示される。この「フォルダ自動作成」はチェックマークを外す（選択する）ことで設定を解除することができる。利用者は図８の状態で予約ボタン４６１を選択することにより、設定した番組データを予約データとして登録することができる。
【００３６】
マイコン１０１は、前記予約ボタン４６１が選択されると、「曜日」データが連続した設定であるか否かを判定し（５０７）、連続でなければ、ステップ５１７の予約データの設定を行う。一方、連続した録画の設定であれば、フォルダの自動作成が設定されているか否かを判定し（ステップ５０９）、設定されていなければ、ステップ５１７の予約データの設定を行う。一方、フォルダの自動作成が設定されていれば、、当該予約データに関するフォルダを自動生成し（ステップ５１５）、以後の画像データをフォルダに記録するように設定する（ステップ５１７）。
この例では、録画日時の連続予約設定と、フォルダ自動作成がチェックされていることを判断することにより、自動的にフォルダを作成したが、フォルダ作成の前に、予約された番組タイトル情報をチェックして、同一の番組タイトルである場合に限り、同一フォルダに入れる方法もある。後者の方法の方が、予期せぬ番組変更があった場合に、異なる番組が同一フォルダに入ることを避けることができる。
【００３７】
そして、図９に示すような予約設定が完了したことを示す確認画面４９０を所定時間表示して予約フローを終了する。ここで、ステップ５１５でフォルダを自動設定した場合は、前記確認画面４９０において、フォルダが作成されたことを表示させ、ステップ５２１で既存のフォルダに追加することが設定された場合は、前記確認画面４９０において同内容が表示される。
【００３８】
なお、この実施の形態では、「フォルダ自動作成」４８１を選択できるようにしているが、フォルダを自動作成しないのは例外的なものである。したがって、「フォルダ自動作成」４８１を選択できないようにしてもよい。また、前記ステップ５１１、５１３において、予約データを検索したり、判定するステップを当該予約データに関するフォルダが設定されているか否かを検索し、判定するようにしてもよい。
【００３９】
次に、図１０から図２０を参照して、編集機能のフォルダの作成に引き続いて録画予約を行うステップについて説明する。図１０は編集機能でフォルダの仕分けが設定されてから録画予約を行うまでの動作フロー図である。図１１から図２０は図１０に関する画面遷移の各図である。
【００４０】
先ず、マイコン１０１は、図４のメニュー画面４４０において「ＨＤＤ」が選択されると図１１に示す録画番組検索画面４００を表示する。この録画番組検索画面４００はリモコン３００の連続番組ボタン３０１または録画番組ボタン３０２を押下することでも表示させることができる。ここで、図１１の録画番組検索画面４００はフォルダが設定されていないので連続番組ボタン３０１は操作無効となる。
【００４１】
図１１において、この事例では、フォルダが設定されていないので、フォルダ表示エリア４０１には「全番組」しか表示されず、コンテンツ表示エリア４０２には、ＨＤＤ１０９に格納されたコンテンツのサムネール形式で録画された順番に表示されている。マイコン１０１は、このコンテンツの中で、図１２に示すように、１つが選択されて、機能メニューボタン３０７が押下されると、該当するコンテンツの近傍に、図１３に示すような、編集ウインドウ４２０を表示する。
【００４２】
前記編集ウインドウ４２０は、「再生」の操作に加えて、「編集」「削除」「詳細情報」「フォルダ仕分け」「フォルダ移動」「リスト表示に変更」「並び順」などの各種の編集メニューが表示されており、これらをカーソルキー群３０５と決定キー３０６の操作で選択することで、選択された作業を行うことができる。
【００４３】
この実施の形態では、前記「フォルダ仕分け」を選択することにより、該当するコンテンツに関連する他のコンテンツを抽出してフォルダを作成できるとともに、当該フォルダに関する予約データを設定することができる。
【００４４】
図１０は、「フォルダ仕分け」が選択された以降の動作フローを示している。図１０において、マイコン１０１は、「フォルダ仕分け」が選択さると(ステップ６０１)、図１４に示す検索条件ウインドウ４３０を表示させる(ステップ６０３)。
検索条件ウインドウ４３０は、「同一番組を検索し、見つかった録画番組を番組フォルダを作成して登録します。」とのガイダンスを表示するとともに、「番組を検索する条件」の設定項目が表示されている。
【００４５】
この設定項目には、「番組名」「録画日」「録画時間帯」「チャンネル」「ジャンル名」が設定されている。ここで、「番組名」と「ジャンル名」は、番組表から取得される番組データから取得されて画像データとともに記録されるデータである。
また、「録画日」以外の前記設定項目は、選択されたコンテンツによって、その検索内容は設定される。したがって、利用者は、カーソルキー群３０５を介して前記各設定項目にカーソルを移動させて決定キー３０６を押下することで、その設定項目を検索条件にするか否かを設定できる。検索条件として設定されると、四角形のチェックボックスにチェックマークが付される。例えば、「録画時間帯」のチェックマークを外せば、異なる時間帯に録画されたものも検索条件に含めることができる。
【００４６】
一方、「録画日」は、プルダウンボックスで設定することができる。右端の逆三角マークを選択することで、図１５に示すように、「毎日」「毎週」「月から金」「月から土」「その他」の選択枝が表示されるので、当該選択枝から１つを選択することができる。図１５においては、「毎週」を選択した状態を示している。
【００４７】
前記検索条件ウインドウ４３０には、検索を実行させる実行キー４３１と中止キー４３２が設けられている。利用者は前記検索条件ウインドウ４３０において検索条件を設定して実行キー４３１を選択することにより、該当する検索条件に合致するコンテンツを抽出することができる。
マイコン１０１は、前記実行キー４３１が操作されると、ＨＤＤ１０９に記憶されているコンテンツを検索し(ステップ６０５)、その結果を図１６の検索結果表示ウインドウ４８０を表示させる(ステップ６０７)。
【００４８】
この検索結果表示ウインドウ４８０には、例えば「６番組が見つかりました。」との検索結果と、「新しいフォルダを作成して登録します」とのフォルダ作成のガイダンスを表示する。加えて、この検索結果表示ウインドウ４８０には、フォルダ作成のためのフォルダ名の指定項目が表示されている。この指定項目は、「番組名」「日時情報」「ジャンル名」の各項目又は組み合わせで指定することができる。この指定項目は図１５と同様な操作で選択することができる（ステップ６０７）。この実施の形態では、「番組名」が初期設定されているので、マイコン１０１は、実行キー４３１の操作がなされると、指定されたフォルダ名のフォルダを作成するとともに、抽出されたコンテンツを当該フォルダに移動させる(ステップ６０９)。
【００４９】
そして、図１７に示すフォルダ作成の完了表示ウインドウ４８５を表示する(ステップ６１１)。この完了表示ウインドウ４８５には了解ボタン４８６が設けられている。マイコン１０１は、了解ボタン４８６が操作されると、前記作成された検索条件に合致する予約データが設定されているか否かをＨＤＤ１０９を検索する(ステップ６１３)。前記予約データが設定されていれば、図２０に示すフォルダが設定された録画番組検索画面４００を表示する(ステップ６１７)。
【００５０】
一方、ステップ６１３において、予約データが設定されていなければ、マイコン１０１は、「これらの番組の録画予約がありません。」との検索結果を表示するとともに、「毎回録画できるように録画予約を行い、録画したものをフォルダに登録するようにしますか？」との予約録画を促す案内を予約案内ウインドウ４９０内に表示する（ステップ６１４）。
【００５１】
予約案内ウインドウ４９０には、「する」キー４９１と「しない」キー４９２が設けられている。マイコン１０１は、「しない」キー４９２が操作されるとステップ６１７を実行し、「する」キー４９１が操作されると図１９の予約確認ウインドウ４９５を表示する(ステップ６１５)。
【００５２】
予約確認ウインドウ４９５には、前記検索条件と成った予約データが表示される。この予約確認ウインドウ４９５には、「予約する」キー４９６と、「中止」キー４９７が設けられているので、マイコン１０１は、「中止」キー４９７が操作されるとステップ６１７を実行し、「予約する」キー４９６が操作されると予約確認ウインドウ４９５に表示した予約データの設定を行い(ステップ６１６)、図２０に示すフォルダが設定された録画番組検索画面４００を表示する。
図２０に示す録画番組検索画面４００には、フォルダ表示エリア４０１に作成したばかりのフォルダが表示され、コンテンツ表示エリア４０２には、当該フォルダに移動されたコンテンツのサムネールが一覧表示される。
【００５３】
このように、この実施の形態では、図３で説明した番組表からフォルダを自動設定して録画予約を行うこともできるし、また、図１０で説明した編集工程からフォルダを作成して録画予約を行うこともできるので、フォルダの作成と、このフォルダに伴う番組予約を簡単に設定することができる。
【００５４】
また、この実施の形態では、前記２つの録画予約に加えて、通常良く見られる、図１に示すリモコン３００に設けた予約ボタン３０９を押下することでも録画予約を設定することができる。録画予約をマニュアル設定することができる。マイコン１０１は、前記予約ボタン３０９が操作されると、図６に示す録画予約画面４６０を表示し、連続録画予約設定された場合には、以後、番組表でコンテンツを選択したと同様な操作でフォルダの自動作成と録画予約を行うことができる。ここで、番組表でのコンテンツ選択と若干異なるのは、「番組名」が空欄であり、「チャンネル」「日時」「曜日」「開始時間」「終了時間」がそれぞれ設定できる点である。
このように、この実施の形態では、多様な場面から録画予約と、それに伴うフォルダの作成を簡単な操作で行うことができる。
【００５５】
次に、図２１から図２３を参照して前記録画番組検索画面４００の他の実施の形態を説明する。図２１から図２３は他の実施の形態に係る録画番組検索画面図である。
図２１において、この実施の形態では，（ａ）に示すように、コンテンツ表示エリア４０２に表示されるサムネールの一覧表示を（ｂ）図に示すようなリスト表示に変更することができる。これらの変更は、編集ウインドウ４２０に設けられるリスト表示に変更を選択することで変更することができる。また、同様に、編集ウインドウ４２０に設けられるフォルダ名の変更を選択することでフォルダ名を修正または追加することができる。これらの修正は、リモコン３００の図示しないテンキーに設定される文字キーで可能である。
【００５６】
図２２において、この実施の形態では、録画番組検索画面４００に表示されるべきフォルダ表示エリア４０１とコンテンツ表示エリア４０２をそれぞれ分離して表示するものである。（ａ）図はフォルダ表示エリア４０１のみを、下位階層があるようなフォルダを連想させるリスト形式で表示する。このフォルダ表示エリア４０１の１つのフォルダが選択されると、（ｂ）図に示すように、当該フォルダに含まれるコンテンツを一覧表示するコンテンツ表示エリア４０２のみを表示する。
【００５７】
これらの（ａ）図、（ｂ）図に示す画面は、録画番組ボタン３０２で（ａ）図を、連続番組ボタン３０１で（ｂ）図の画面を呼び出すことができる。（ｂ）図の画面では、初期設定で最初に録画されたものが表示され、カーソルキー群３０５の操作で次のフォルダを表示させることができる。
【００５８】
図２３において、この実施の形態では、録画番組検索画面４００のフォルダ表示エリア４０１に「ジャンル」フォルダが設定され、当該フォルダの下層のフォルダ及び当該フォルダに属するコンテンツをコンテンツ表示エリア４０２に表示するものである。
【００５９】
例えば、図２３の（ａ）図のフォルダ表示エリア４０１には、「全番組」「連続ドラマ」「連続語学」「連続バラエティ」のジャンルフォルダが表示され、前記コンテンツ表示エリア４０２には、前記フォルダ表示エリア４０１で選択されている「連続ドラマ」に属するフォルダが表示される。この図２３の（ａ）図はリモコン３００の連続番組ボタン３０１が操作されると表示することができる。なお、リモコン３００の録画番組ボタン３０２が操作されると、前記マイコン１０１は、前記フォルダ表示エリア４０１の「全番組」が強調表示され、前記コンテンツ表示エリア４０２には録画されたコンテンツのフォルダが作成日時順に表示される。
【００６０】
図２３の（ａ）図において、例えば、「ＡＡストーリー」のフォルダが選択されると、マイコン１０１は（ｂ）図に示すように、コンテンツ表示エリア４０２に「ＡＡストーリー」のフォルダに格納されたサムネール形式のコンテンツと、当該フォルダのフォルダ名などのタイトルを表示する。
このように、この実施の形態では、リモコン３００に設けた連続番組ボタン３０１と録画番組ボタン３０２の使い分けで希望するコンテンツを簡単に検索することができる。
【００６１】
また、この実施の形態では、番組データを備えたコンテンツを格納する記録再生装置（ＨＤＤ１０９）と、コンテンツの検索と再生情報を表示する表示装置（モニタ２００）と、前記表示装置の検索と再生情報の表示を制御する制御装置(マイコン１０１)と、前記制御装置に前記表示装置の表示操作を指示する遠隔操作装置（リモコン３００）とを備えた録画予約再生装置（テレビジョン受像機１）において、前記制御装置は、番組データを備えた前記コンテンツの録画情報を前記記録再生装置から呼び出して前記表示装置に一覧表示し、当該一覧表示から１つのコンテンツの選択を受け付けて、当該コンテンツに関する検索条件を受け付ける検索条件入力エリアを前記表示装置に表示し、検索条件入力エリアで設定された検索条件を受け付けて、当該検索条件に合致するコンテンツの録画情報を前記記録再生装置から抽出して前記表示装置に一覧表示し、該一覧表示されたコンテンツのフォルダの作成を受け付けて、該フォルダを生成し、前記生成したフォルダに含まれるコンテンツに関する予約情報を検索して、予約情報がなければ、当該コンテンツの録画予約を設定することができるので、すでに記録されたコンテンツに基づいて、当該コンテンツのフォルダ編集に連続して、簡単に連続予約を設定することができる。
【図面の簡単な説明】
【００６２】
【図１】第1の実施の形態に係るテレビジョン受像機の概略構成図である。
【図２】第1の実施の形態に係る本体の装置ブロック図である。
【図３】第1の実施の形態に係るテレビジョン受像機の番組表からの録画予約の動作フロー図である。
【図４】番組表からの録画予約の画面遷移を示す表示画面図である。
【図５】番組表からの録画予約の画面遷移を示す表示画面図である。
【図６】番組表からの録画予約の画面遷移を示す表示画面図である。
【図７】番組表からの録画予約の画面遷移を示す表示画面図である。
【図８】番組表からの録画予約の画面遷移を示す表示画面図である。
【図９】番組表からの録画予約の画面遷移を示す表示画面図である。
【図１０】編集機能でフォルダの仕分けが設定されてから録画予約を行うまでの動作フロー図である。
【図１１】フォルダの仕分けから録画予約までの画面遷移を示す表示画面図である。
【図１２】フォルダの仕分けから録画予約までの画面遷移を示す表示画面図である。
【図１３】フォルダの仕分けから録画予約までの画面遷移を示す表示画面図である。
【図１４】フォルダの仕分けから録画予約までの画面遷移を示す表示画面図である。
【図１５】フォルダの仕分けから録画予約までの画面遷移を示す表示画面図である。
【図１６】フォルダの仕分けから録画予約までの画面遷移を示す表示画面図である。
【図１７】フォルダの仕分けから録画予約までの画面遷移を示す表示画面図である。
【図１８】フォルダの仕分けから録画予約までの画面遷移を示す表示画面図である。
【図１９】フォルダの仕分けから録画予約までの画面遷移を示す表示画面図である。
【図２０】フォルダの仕分けから録画予約までの画面遷移を示す表示画面図である。
【図２１】他の実施の形態に係る録画番組検索画面図である。
【図２２】他の実施の形態に係る録画番組検索画面図である。
【図２３】他の実施の形態に係る録画番組検索画面図である。
【符号の説明】
【００６３】
１…テレビジョン受像機、５０…アンテナ、１００…本体、１０１…マイコン、１０８…リモコン受光部、１０２…チューナ、１０３…番組情報抽出部、１０４…音声再生部、１０５…映像再生部、１０６…表示合成部、１０７…画面生成部、１０９…ＨＤＤ、１１０…ＤＶＤ、１１１…外部インターフエイス部、２００…モニタ、２０１…表示装置、２０２…スピーカ、３００…リモコン、３０１…連続番組ボタン、３０２…録画番組ボタン、３０３…電源ボタン、３０４…メニューボタン、３０５…カーソルキー群、３０６…決定キー、３０７…機能メニューボタン、３０８…番組表ボタン、３０９…予約ボタン、３１０…戻るボタン、４００…録画番組検索画面、４０１…フォルダ表示エリア、４０２…コンテンツ表示エリア、４２０…編集ウインドウ、４３０…検索条件ウインドウ、４３１…実行キー、４３２…中止キー、４４０…メニュー画面、４４１…番組表ボタン、４５０…番組表画面、４６０…録画予約画面、４６１…予約ボタン、４６２…中止ボタン、４７０…予約データの修正画面、４８０…検索結果表示ウインドウ、４８５…完了表示ウインドウ、４８６…了解ボタン、４９０…予約案内ウインドウ、４９１…「する」キー、４９２…「しない」キー、４９５…予約確認ウインドウ、４９６…「予約する」キー、４９７…「中止」キー。
【図１】
2006203483.tif 000003
【図２】
2006203483.tif 000004
【図３】
2006203483.tif 000005
【図４】
2006203483.tif 000006
【図５】
2006203483.tif 000007
【図６】
2006203483.tif 000008
【図７】
2006203483.tif 000009
【図８】
2006203483.tif 000010
【図９】
2006203483.tif 000011
【図１０】
2006203483.tif 000012
【図１１】
2006203483.tif 000013
【図１２】
2006203483.tif 000014
【図１３】
2006203483.tif 000015
【図１４】
2006203483.tif 000016
【図１５】
2006203483.tif 000017
【図１６】
2006203483.tif 000018
【図１７】
2006203483.tif 000019
【図１８】
2006203483.tif 000020
【図１９】
2006203483.tif 000021
【図２０】
2006203483.tif 000022
【図２１】
2006203483.tif 000023
【図２２】
2006203483.tif 000024
【図２３】
2006203483.tif 000025